【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
光起電集光器アセンブリ（１０）であって：
内部容積（５０）と前記内部容積（５０）への開口部（３４）を画定する筺体（１２）と；
前記内部容積（５０）に位置づけされた光電池（５４）と；
光学活性された本体（５６）と前記本体（５６）から外向きに延びるフランジ（５８）を含む光学要素（１４）であって、前記フランジ（５８）が前記筺体（１２）と係合し前記開口部（３４）を密封する光学要素（１４）
を含む、光起電集光器アセンブリ（１０）。
【請求項２】
前記筺体（１２）と前記フランジ（５８）の間に配置された密封部材（１６、７２）をさらに含む、請求項１に記載の光起電集光器アセンブリ（１０）。
【請求項３】
前記密封部材（１６、７２）がＯリングを含む、請求項１又は２に記載の光起電集光器アセンブリ（１０）。
【請求項４】
前記本体（５６）の少なくとも一部が前記開口部（３４）を通って延在する、請求項１に記載の光起電集光器アセンブリ（１０）。
【請求項５】
前記密封が蒸気密性密封である、請求項１に記載の光起電集光器アセンブリ（１０）。
【請求項６】
前記内部容積（５０）に受容され、前記光学要素（１４）と前記光電池（５４）の間に配置されるライト・シールド（６４）をさらに含み、前記ライト・シールド（６４）は前記光電池（５４）に沿って位置あわせされた窓を画定する、請求項１乃至５のいずれか１項に記載の光起電集光器アセンブリ（１０）。
【請求項７】
前記フランジ（５８）が前記筺体（１２）と前記ライト・シールド（６４）の間に位置づけされる、請求項６に記載の光起電集光器アセンブリ（１０）。
【請求項８】
前記フランジ（５８）と前記ライト・シールド（６４）の間に配置される密封部材（５２）をさらに含む、請求項６又は７に記載の光起電集光器アセンブリ（１０）。
【請求項９】
前記筺体（１２）に結合したヒートシンク（２４）をさらに含む、請求項１乃至８のいずれか１項に記載の光起電集光器アセンブリ。
【請求項１０】
前記本体（５６）は屈折レンズを含む、請求項１に記載の光起電集光器アセンブリ（１０）。
【請求項１１】
前記本体（５６）及び前記フランジ（５８）はガラスのモノリシック体として形成される、請求項１に記載の光起電集光器アセンブリ（１０）。
【請求項１２】
前記光学要素（１４）はさらに、前記本体（５６）に結合した近位端と、前記光電池（５４）に沿って位置合わせされた遠位端（６２）を有するガイド（６０）を含む、請求項１乃至１１のいずれか１項に記載の光起電集光器アセンブリ（１０）。
【請求項１３】
前記ガイドが前記光学要素（１４）と前記光電池（５４）の間に位置づけされたライト・シールド（６４）の窓を通って延在する、請求項１２に記載の光起電集光器アセンブリ（１０）。
【請求項１４】
前記筺体（１２）が、少なくとも一つの締め具（４８）によって第２部分（１２Ｂ）に固定された第１部分（１２Ａ）を含み、前記開口部（３４）が前記第１部分（１２Ａ）において画定される、請求項１に記載の光起電集光器アセンブリ（１０）。
【請求項１５】
前記第１部分（１２Ａ）と前記第２部分（１２Ｂ）の間に配置され、前記第１部分（１２Ａ）と前記第２部分（１２Ｂ）の間の蒸気密性密封を形成する密封部材（５２）をさらに含む、請求項１ないし１４の何れか一項に記載の光起電集光器アセンブリ（１０）。
【手続補正２】
【補正対象書類名】明細書
【補正対象項目名】００３０
【補正方法】変更
【補正の内容】
【００３０】
開示の光起電集光器アセンブリの様々な態様を示し説明してきたが、本明細書を読んで当業者が修正箇所を発想することは可能である。本願は上記修正箇所を含み、請求項の範囲によってのみ限定されるものである。
また、本願は以下に記載する態様を含む。
（態様１）
光起電集光器アセンブリ（１０）であって：
内部容積（５０）と前記内部容積（５０）への開口部（３４）を画定する筺体（１２）と；
前記内部容積（５０）に位置づけされた光電池（５４）と；
光学活性された本体（５６）と前記本体（５６）から外向きに延びるフランジ（５８）を含む光学要素（１４）であって、前記フランジ（５８）が前記筺体（１２）と係合し前記開口部（３４）を密封する光学要素（１４）
を含む、光起電集光器アセンブリ（１０）。
（態様２）
前記筺体（１２）と前記フランジ（５８）の間に配置された密封部材（１６、７２）をさらに含む、態様１に記載の光起電集光器アセンブリ（１０）。
（態様３）
前記密封部材（１６、７２）がＯリングを含む、態様１又は２に記載の光起電集光器アセンブリ（１０）。
（態様４）
前記本体（５６）の少なくとも一部が前記開口部（３４）を通って延在する、態様１に記載の光起電集光器アセンブリ（１０）。
（態様５）
前記密封が蒸気密性密封である、態様１に記載の光起電集光器アセンブリ（１０）。
（態様６）
前記内部容積（５０）に受容され、前記光学要素（１４）と前記光電池（５４）の間に配置されるライト・シールド（６４）をさらに含み、前記ライト・シールド（６４）は前記光電池（５４）に沿って位置あわせされた窓を画定する、態様１乃至５のいずれか１項に記載の光起電集光器アセンブリ（１０）。
（態様７）
前記フランジ（５８）が前記筺体（１２）と前記ライト・シールド（６４）の間に位置づけされる、態様６に記載の光起電集光器アセンブリ（１０）。
（態様８）
前記フランジ（５８）と前記ライト・シールド（６４）の間に配置される密封部材（５２）をさらに含む、態様６又は７に記載の光起電集光器アセンブリ（１０）。
（態様９）
前記筺体（１２）に結合したヒートシンク（２４）をさらに含む、態様１乃至８のいずれか１項に記載の光起電集光器アセンブリ。
（態様１０）
前記本体（５６）は屈折レンズを含む、態様１に記載の光起電集光器アセンブリ（１０）。
（態様１１）
前記本体（５６）及び前記フランジ（５８）はガラスのモノリシック体として形成される、態様１に記載の光起電集光器アセンブリ（１０）。
（態様１２）
前記光学要素（１４）はさらに、前記本体（５６）に結合した近位端と、前記光電池（５４）に沿って位置合わせされた遠位端（６２）を有するガイド（６０）を含む、態様１乃至１１のいずれか１項に記載の光起電集光器アセンブリ（１０）。
（態様１３）
前記ガイドが前記光学要素（１４）と前記光電池（５４）の間に位置づけされたライト・シールド（６４）の窓を通って延在する、態様１２に記載の光起電集光器アセンブリ（１０）。
（態様１４）
前記筺体（１２）が、少なくとも一つの締め具（４８）によって第２部分（１２Ｂ）に固定された第１部分（１２Ａ）を含み、前記開口部（３４）が前記第１部分（１２Ａ）において画定される、態様１に記載の光起電集光器アセンブリ（１０）。
（態様１５）
前記第１部分（１２Ａ）と前記第２部分（１２Ｂ）の間に配置され、前記第１部分（１２Ａ）と前記第２部分（１２Ｂ）の間の蒸気密性密封を形成する密封部材（５２）をさらに含む、態様１又は１４に記載の光起電集光器アセンブリ（１０）。
（態様１６）
光起電集光器アセンブリ（１０）であって：
内部容積（５０）を画定し、周縁部（３２）を含む筺体であって、前記周縁部（３２）が前記内部容積（５０）への開口部（３４）を画定する筺体と；
前記内部容積（５０）に位置づけされる光電池（５４）と；
光学活性された本体（５６）と前記本体（５６）から外向きに延びるフランジ（５８）を含む光学要素（１４）であって、前記フランジ（５８）は前記周縁部（３２）と密封係合して前記内部容積（５０）を囲む光学要素（１４）
を含む光起電集光器アセンブリ（１０）。
（態様１７）
前記周縁部（３２）及び前記フランジ（５８）の間に配置された密封部材（１６）をさらに含む、態様１６に記載の光起電集光器アセンブリ（１０）。
（態様１８）
前記本体（５６）及び前記フランジ（５８）がガラスのモノリシック体として形成される、態様１６に記載の光起電集光器アセンブリ（１０）。
（態様１９）
光起電集光器アセンブリ（１０）であって：
内部容積（５０）を画定し、周縁部（３２）を含む筺体（１２）であって、前記周縁部（３２）が前記内部容積（５０）への開口部（３４）を画定する筺体（１２）と；
前記内部容積（５０）に位置づけされる光電池と；
光学活性された本体（５６）と前記本体（５６）から外向きに延びるフランジ（５８）を含む光学要素（１４）であって、前記本体（５６）の少なくとも一部が前記開口部（３４）を通って延在し、これにより前記フランジ（５８）が前記周縁部（３２）に沿って位置あわせされる光学要素（１４）と；
前記周縁部（３２）と前記フランジ（５８）の間に配置されて前記周縁部（３２）と前記フランジ（５８）の間の蒸気密性密封を画定する密封部材（１６）
を含む光起電集光器アセンブリ（１０）。
（態様２０）
前記密封部材（１６）がＯリングを含む、態様１９に記載の光起電集光器アセンブリ（１０）。